(57)【要約】  本開示は、２つの端末が両端末間で接続を確立することを支援するシステム及び方法に関する。本システムは、本方法を実行して、第１の電子信号を第２の端末から受信することであって、当該第１の電子信号は、第２の端末に関連付けられた第１の端末の端末情報を符号化した第１の構造化データを含むことと、第３の端末の識別情報を符号化した第２の構造化データを含む第２の電子信号を受信することと、第３の電子信号を第３の端末に送信することであって、当該第３の電子信号は、第１の端末の端末情報を符号化した第３の構造化データを含むこととを行うことができる。【選択図】図４
2019509646.tif 000002
【特許請求の範囲】
【請求項１】
２つの異なる端末が両端末間で接続を確立することを支援する一組の命令を含む１つ以上の記憶媒体と、
前記１つ以上の記憶媒体と通信するように構成された１つ以上の処理部と、
を備え、
前記１つ以上の処理部は、前記一組の命令を実行すると、
第１の電子信号を第２の端末から受信することであって、該第１の電子信号は、前記第２の端末に関連付けられた第１の端末の端末情報を符号化した第１の構造化データを含むことと、
第３の端末の識別情報を符号化した第２の構造化データを含む第２の電子信号を受信することと、
第３の電子信号を前記第３の端末に送信することであって、該第３の電子信号は、前記第１の端末の前記端末情報を符号化した第３の構造化データを含むことと、
を行うように指示される、電子デバイスのシステム。
【請求項２】
前記第１の端末は車両に関連付けられ、前記第２の端末は輸送サービス提供者に関連付けられ、前記第３の端末は輸送サービス要求者に関連付けられ、
前記１つ以上の処理部は、前記サービス提供者が輸送サービスを前記サービス要求者に提供していると判断するように更に指示される、請求項１に記載のシステム。
【請求項３】
前記第１の構造化データは、
前記第１の端末の識別情報を符号化した第１の部分と、
前記第１の端末の接続情報を符号化した第２の部分と、
を含み、
前記第３の構造化データは、
前記第３の端末の識別情報を符号化した第１の部分と、
前記端末情報を符号化した第２の部分と、
を含む、請求項１に記載のシステム。
【請求項４】
前記接続情報は、前記第１の端末が前記第３の端末からの接続要求を受理することを可能にする認可コードを含む、請求項３に記載のシステム。
【請求項５】
前記第３の構造化データは、前記第１の端末の前記端末情報に基づいて前記第１の端末と通信接続を確立するプロセスを開始するように前記第３の端末に指示するコマンドを符号化した第３の部分を含む、請求項１に記載のシステム。
【請求項６】
前記第３の端末と前記第１の端末との間の前記通信接続は、前記第３の端末から前記第１の端末にマルチメディアデータを一方向に送信することに限られる、請求項５に記載のシステム。
【請求項７】
前記第１の端末は、前記第２の端末に含まれる、請求項１に記載のシステム。
【請求項８】
１つ以上の処理部と１つ以上の記憶媒体とを有するコンピューティングデバイスにおいて実施される方法であって、
前記１つ以上の処理部によって、第１の電子信号を第２の端末から受信することであって、該第１の電子信号は、前記第２の端末に関連付けられた第１の端末の端末情報を符号化した第１の構造化データを含むことと、
前記１つ以上の処理部によって、第３の端末の識別情報を符号化した第２の構造化データを含む第２の電子信号を受信することと、
前記１つ以上の処理部によって、第３の電子信号を前記第３の端末に送信することであって、該第３の電子信号は、前記第１の端末の前記端末情報を符号化した第３の構造化データを含むことと、
を含む、方法。
【請求項９】
前記第１の端末は車両に関連付けられ、前記第２の端末は輸送サービス提供者に関連付けられ、前記第３の端末は輸送サービス要求者に関連付けられ、
前記方法は、
前記１つ以上の処理部によって、前記サービス提供者が輸送サービスを前記サービス要求者に提供していると判断すること、
を更に含む、請求項８に記載の方法。
【請求項１０】
前記第１の構造化データは、
前記第１の端末の識別情報を符号化した第１の部分と、
前記第１の端末の接続情報を符号化した第２の部分と、
を含み、
前記第３の構造化データは、
前記第３の端末の識別情報を符号化した第１の部分と、
前記端末情報を符号化した第２の部分と、
を含む、請求項８に記載の方法。
【請求項１１】
前記接続情報は、前記第１の端末が前記第３の端末からの接続要求を受理することを可能にする認可コードを含む、請求項１０に記載の方法。
【請求項１２】
前記第３の構造化データは、前記第１の端末の前記接続情報に基づいて前記第１の端末との通信接続を確立するプロセスを開始するように前記第３の端末に指示するコマンドを符号化した第３の部分を含む、請求項８に記載の方法。
【請求項１３】
前記第３の端末と前記第１の端末との間の前記通信接続は、前記第３の端末から前記第１の端末にマルチメディアデータを一方向に送信することに限られる、請求項１２に記載の方法。
【請求項１４】
前記第１の端末は、前記第２の端末に含まれる、請求項８に記載の方法。
【請求項１５】
２つの異なる端末が両端末間で接続を確立することを支援する少なくとも一組の命令を含む非一時的コンピューター可読媒体であって、前記少なくとも一組の命令は、コンピューターサーバーの１つ以上の処理部によって実行されると、
第１の電子信号を第２の端末から受信する動作であって、該第１の電子信号は、前記第２の端末に関連付けられた第１の端末の端末情報を符号化した第１の構造化データを含む、動作と、
第３の端末の識別情報を符号化した第２の構造化データを含む第２の電子信号を受信する動作と、
第３の電子信号を前記第３の端末に送信する動作であって、該第３の電子信号は、前記第１の端末の前記端末情報を符号化した第３の構造化データを含む、動作と、
を実行するように前記１つ以上の処理部に指示する、非一時的コンピューター可読媒体。
【請求項１６】
前記第１の端末は車両に関連付けられ、前記第２の端末は輸送サービス提供者に関連付けられ、前記第３の端末は輸送サービス要求者に関連付けられ、
前記１つ以上の処理部は、前記サービス提供者が輸送サービスを前記サービス要求者に提供していると判断するように更に指示される、請求項１５に記載の非一時的コンピューター可読媒体。
【請求項１７】
前記第１の構造化データは、
前記第１の端末の識別情報を符号化した第１の部分と、
前記第１の端末の接続情報を符号化した第２の部分と、
を含み、
前記第３の構造化データは、
前記第３の端末の識別情報を符号化した第１の部分と、
前記端末情報を符号化した第２の部分と、
を含む、請求項１５に記載の非一時的コンピューター可読媒体。
【請求項１８】
前記接続情報は、前記第１の端末が前記第３の端末からの接続要求を受理することを可能にする認可コードを含む、請求項１７に記載の非一時的コンピューター可読媒体。
【請求項１９】
前記第３の構造化データは、前記第１の端末の前記接続情報に基づいて前記第１の端末との通信接続を確立するプロセスを開始するように前記第３の端末に指示するコマンドを符号化した第３の部分を含む、請求項１５に記載の非一時的コンピューター可読媒体。
【請求項２０】
前記第３の端末と前記第１の端末との間の前記通信接続は、前記第３の端末から前記第１の端末にマルチメディアデータを一方向に送信することに限られる、請求項１９に記載の非一時的コンピューター可読媒体。
【請求項２１】
電子端末であって、
オンデマンド輸送プラットフォームに関連付けられた別の端末デバイスに接続する一組の命令を含む１つ以上の記憶媒体と、
前記１つ以上の記憶媒体と通信するように構成された１つ以上の処理部と、
を備え、
前記１つ以上の処理部は、前記一組の命令を実行すると、
第１の電子信号をコンピューターサーバーから受信することであって、該第１の電子信号は、ターゲット端末に関連付けられた端末情報を符号化した第１の構造化データを含むことと、
前記ターゲット端末の前記端末情報に基づいて前記ターゲット端末と該電子端末との間の通信接続を開始する第２の電子信号を生成することと、
を行うように指示される、電子端末。
【請求項２２】
前記コンピューターサーバーは、オンラインオンデマンド輸送サービスプラットフォームに関連付けられ、
前記ターゲット端末は、輸送サービスを前記電子端末のユーザーに提供している輸送サービス提供者の端末に関連付けられている、請求項２１に記載の電子端末。
【請求項２３】
前記第１の構造化データは、
前記ターゲット端末の識別情報を符号化した第１の部分と、
前記ターゲット端末の接続情報を符号化した第２の部分と、
を含む、請求項２１に記載の電子端末。
【請求項２４】
前記接続情報は、前記ターゲット端末が前記電子端末からの接続要求を受理することを可能にする認可コードを含む、請求項２３に記載の電子端末。
【請求項２５】
前記１つ以上の処理部は、
前記１つ以上の記憶媒体にアクセスして、該記憶媒体に記憶されたマルチメディアコンテンツを読み出すことと、
前記マルチメディアコンテンツを第２の構造化データに符号化することと、
前記第２の構造化データを符号化した第３の電子信号を、前記通信接続を介して前記ターゲット端末に送信することと、
を行うように更に指示される、請求項２１に記載の電子端末。
【請求項２６】
前記電子端末と前記ターゲット端末との間の前記通信接続は、前記電子端末から前記ターゲット端末にマルチメディアデータを一方向に送信することに限られる、請求項２１に記載の電子端末。
【請求項２７】
前記ターゲット端末と前記電子端末との間の前記通信接続を開始するために、前記１つ以上の処理部は、
前記ターゲット端末の前記端末情報に基づいて前記ターゲット端末を前記電子端末と接続する要求を符号化した第４の電子信号を前記ターゲット端末に送信することと、
前記ターゲット端末を前記電子端末と接続することに同意する応答を符号化した第５の電子信号を前記ターゲット端末から受信することと、
前記応答に基づいて前記ターゲット端末と前記電子端末との間の前記通信接続を確立することと、
を行うように指示される、請求項２１に記載の電子端末。
【請求項２８】
１つ以上の処理部と１つ以上の記憶媒体とを有する電子端末において実施される方法であって、
前記１つ以上の処理部によって、第１の電子信号をコンピューターサーバーから受信することであって、該第１の電子信号は、ターゲット端末に関連付けられた端末情報を符号化した第１の構造化データを含むことと、
前記１つ以上の処理部によって、前記ターゲット端末の前記端末情報に基づいて前記ターゲット端末と前記電子端末との間の通信接続を開始する第２の電子信号を生成することと、
を含む、方法。
【請求項２９】
前記コンピューターサーバーは、オンラインオンデマンド輸送サービスプラットフォームに関連付けられ、
前記ターゲット端末は、輸送サービスを前記電子端末のユーザーに提供している輸送サービス提供者の端末に関連付けられている、請求項２８に記載の方法。
【請求項３０】
前記第１の構造化データは、
前記ターゲット端末の識別情報を符号化した第１の部分と、
前記ターゲット端末の接続情報を符号化した第２の部分と、
を含む、請求項２８に記載の方法。
【請求項３１】
前記接続情報は、前記ターゲット端末が前記電子端末からの接続要求を受理することを可能にする認可コードを含む、請求項３０に記載の方法。
【請求項３２】
前記１つ以上の処理部によって、前記１つ以上の記憶媒体にアクセスして、該記憶媒体に記憶されたマルチメディアコンテンツを読み出すことと、
前記１つ以上の処理部によって、前記マルチメディアコンテンツを第２の構造化データに符号化することと、
前記１つ以上の処理部によって、前記第２の構造化データを符号化した第３の電子信号を、前記通信接続を介して前記ターゲット端末に送信することと、
を更に含む、請求項２８に記載の方法。
【請求項３３】
前記電子端末と前記ターゲット端末との間の前記通信接続は、前記電子端末から前記ターゲット端末にマルチメディアデータを一方向に送信することに限られる、請求項２８に記載の方法。
【請求項３４】
前記ターゲット端末と前記電子端末との間の前記通信接続を前記開始することは、
前記ターゲット端末の前記端末情報に基づいて前記ターゲット端末を前記電子端末と接続する要求を符号化した第４の電子信号を前記ターゲット端末に送信することと、
前記ターゲット端末を前記電子端末と接続することに同意する応答を符号化した第５の電子信号を前記ターゲット端末から受信することと、
前記１つ以上の処理部によって、前記応答に基づいて前記ターゲット端末と前記電子端末との間の前記通信接続を確立することと、
を含む、請求項２８に記載の方法。
【請求項３５】
オンデマンド輸送プラットフォームに関連付けられた２つの端末の間の通信接続を開始する少なくとも一組の命令を含む非一時的コンピューター可読媒体であって、前記少なくとも一組の命令は、電子端末の１つ以上の処理部によって実行されると、
第１の電子信号をコンピューターサーバーから受信する動作であって、該第１の電子信号は、ターゲット端末に関連付けられた端末情報を符号化した第１の構造化データを含む、動作と、
前記ターゲット端末の前記端末情報に基づいて前記ターゲット端末と前記電子端末との間の通信接続を開始する第２の電子信号を生成する動作と、
を実行するように前記１つ以上の処理部に指示する、非一時的コンピューター可読媒体。
【請求項３６】
前記コンピューターサーバーは、オンラインオンデマンド輸送サービスプラットフォームに関連付けられ、
前記ターゲット端末は、輸送サービスを前記電子端末のユーザーに提供している輸送サービス提供者の端末に関連付けられている、請求項３５に記載の非一時的コンピューター可読媒体。
【請求項３７】
前記第１の構造化データは、
前記ターゲット端末の識別情報を符号化した第１の部分と、
前記ターゲット端末の接続情報を符号化した第２の部分と、
を含む、請求項３５に記載の非一時的コンピューター可読媒体。
【請求項３８】
前記接続情報は、前記ターゲット端末が前記電子端末からの接続要求を受理することを可能にする認可コードを含む、請求項３７に記載の非一時的コンピューター可読媒体。
【請求項３９】
前記１つ以上の処理部は、
前記電子端末の１つ以上の記憶媒体にアクセスして、該記憶媒体に記憶されたマルチメディアコンテンツを読み出すことと、
前記マルチメディアコンテンツを第２の構造化データに符号化することと、
前記第２の構造化データを符号化した第３の電子信号を、前記通信接続を介して前記ターゲット端末に送信することと、
を行うように更に指示される、請求項３５に記載の非一時的コンピューター可読媒体。
【請求項４０】
前記電子端末と前記ターゲット端末との間の前記通信接続は、前記電子端末から前記ターゲット端末にマルチメディアデータを一方向に送信することに限られる、請求項３５に記載の非一時的コンピューター可読媒体。
【発明の詳細な説明】
【技術分野】
【０００１】
［関連出願の相互参照］
本出願は、２０１６年１２月６日に出願された中国特許出願第２０１６１１１１３９７８．４号の優先権を主張し、この出願の内容は、引用することによりその全体が本明細書の一部をなす。
【０００２】
（技術分野）
本開示は、包括的には、オンデマンドサービスのシステム及び方法に関し、特に、２つの端末が両端末間で接続を確立することを支援するシステム及び方法に関する。
【背景技術】
【０００３】
オンラインタクシー配車サービス等のインターネット技術を利用したオンデマンド輸送サービスは、それらの便利さのためにますます普及してきている。乗客は、タクシーで自身の目的地に向かって移動している間、自身のスマートフォンで音楽を聴きたい場合もあれば、ビデオを観たい場合もある。しかしながら、通話又はメッセージが、音楽再生又はビデオ再生を中断する場合があり、ビデオの時間が長い場合、乗客は、長時間の間、スマートフォンを持ち続けなければならない場合がある。したがって、時に、要求者は、タクシー内においてスマートフォンで音楽を聴くこと又はビデオを観ることが不便な場合がある。加えて、上記状況は、要求者端末の電力消費を増加させるとともに、時間の使用を削減する場合もある。
【０００４】
したがって、要求者端末が、当該要求者端末においてマルチメディアを再生することができる別の端末との接続を確立することを支援するシステム及び方法を提供することが望ましい。
【発明の概要】
【０００５】
追加の特徴は、以下の説明に一部が述べられ、以下の内容及び添付図面を検討することで当業者には部分的に明らかになるか、又はそれらの例の作成若しくは動作によって知得することができる。本開示の特徴は、以下で論述される詳細な例に述べられる方法論、手段及び組み合わせの様々な態様の実施又は使用によって実現及び達成することができる。
【０００６】
本開示の第１の態様によれば、電子デバイスのシステムが、１つ以上の記憶媒体と、該１つ以上の記憶媒体と通信するように構成された１つ以上の処理部（プロセッサ）とを備えることができる。前記１つ以上の記憶媒体は、２つの異なる端末が両端末間で接続を確立することを支援する一組の命令を含むことができる。前記１つ以上の処理部が前記一組の命令を実行すると、該１つ以上の処理部は、次の動作のうちの１つ以上を実行するように指示を受けることができる。前記１つ以上の処理部は、第１の電子信号を第２の端末から受信することができ、該第１の電子信号は、前記第２の端末に関連付けられた第１の端末の端末情報を符号化した第１の構造化データを含む。前記１つ以上の処理部は、第３の端末の識別情報を符号化した第２の構造化データを含む第２の電子信号を受信することができる。前記１つ以上の処理部は、第３の電子信号を前記第３の端末に送信することができ、該第３の電子信号は、前記第１の端末の前記端末情報を符号化した第３の構造化データを含む。
【０００７】
幾つかの実施の形態では、前記第１の端末は車両に関連付けることができ、前記第２の端末は輸送サービス提供者に関連付けることができ、前記第３の端末は輸送サービス要求者に関連付けることができる。
【０００８】
幾つかの実施の形態では、前記１つ以上の処理部は、前記サービス提供者が輸送サービスを前記サービス要求者に提供していると判断することができる。
【０００９】
幾つかの実施の形態では、前記第１の構造化データは、前記第１の端末の識別情報を符号化した第１の部分と、前記第１の端末の接続情報を符号化した第２の部分とを含むことができる。
【００１０】
幾つかの実施の形態では、前記第３の構造化データは、前記第３の端末の識別情報を符号化した第１の部分と、前記端末情報を符号化した第２の部分とを含むことができる。
【００１１】
幾つかの実施の形態では、前記接続情報は、前記第１の端末が前記第３の端末からの接続要求を受理することを可能にする認可コードを含むことができる。
【００１２】
幾つかの実施の形態では、前記第３の構造化データは、前記第１の端末の前記端末情報に基づいて前記第１の端末と通信接続を確立するプロセスを開始するように前記第３の端末に指示するコマンドを符号化した第３の部分を含むことができる。
【００１３】
幾つかの実施の形態では、前記第３の端末と前記第１の端末との間の前記通信接続は、前記第３の端末から前記第１の端末にマルチメディアデータを一方向に送信することに限ることができる。
【００１４】
幾つかの実施の形態では、前記第１の端末は、前記第２の端末に含めることができる。
【００１５】
本開示の第２の態様によれば、方法が、次の動作のうちの１つ以上を含むことができる。オンラインオンデマンド輸送サービスプラットフォームの１つ以上の処理部が、第１の電子信号を第２の端末から受信することができ、該第１の電子信号は、前記第２の端末に関連付けられた第１の端末の端末情報を符号化した第１の構造化データを含む。前記１つ以上の処理部は、第３の端末の識別情報を符号化した第２の構造化データを含む第２の電子信号を受信することができる。前記１つ以上の処理部は、第３の電子信号を前記第３の端末に送信することができ、該第３の電子信号は、前記第１の端末の前記端末情報を符号化した第３の構造化データを含む。
【００１６】
本開示の第３の態様によれば、非一時的コンピューター可読媒体が、２つの異なる端末が両端末間で接続を確立することを支援する少なくとも一組の命令を含むことができる。前記少なくとも１つの一組の命令は、コンピューターサーバーの１つ以上の処理部によって実行することができる。前記１つ以上の処理部は、第１の電子信号を第２の端末から受信することができ、該第１の電子信号は、前記第２の端末に関連付けられた第１の端末の端末情報を符号化した第１の構造化データを含む。前記１つ以上の処理部は、第３の端末の識別情報を符号化した第２の構造化データを含む第２の電子信号を受信することができる。前記１つ以上の処理部は、第３の電子信号を前記第３の端末に送信することができ、該第３の電子信号は、前記第１の端末の前記端末情報を符号化した第３の構造化データを含む。
【００１７】
幾つかの実施の形態では、前記第１の端末は車両に関連付けることができ、前記第２の端末は輸送サービス提供者に関連付けることができ、前記第３の端末は輸送サービス要求者に関連付けることができる。
【００１８】
幾つかの実施の形態では、前記１つ以上の処理部は、前記サービス提供者が輸送サービスを前記サービス要求者に提供していると判断することができる。
【００１９】
幾つかの実施の形態では、前記第１の構造化データは、前記第１の端末の識別情報を符号化した第１の部分と、前記第１の端末の接続情報を符号化した第２の部分とを含むことができる。
【００２０】
幾つかの実施の形態では、前記第３の構造化データは、前記第３の端末の識別情報を符号化した第１の部分と、前記端末情報を符号化した第２の部分とを含むことができる。
【００２１】
幾つかの実施の形態では、前記接続情報は、前記第１の端末が前記第３の端末からの接続要求を受理することを可能にする認可コードを含むことができる。
【００２２】
幾つかの実施の形態では、前記第３の構造化データは、前記第１の端末の前記端末情報に基づいて前記第１の端末と通信接続を確立するプロセスを開始するように前記第３の端末に指示するコマンドを符号化した第３の部分を含むことができる。
【００２３】
幾つかの実施の形態では、前記第３の端末と前記第１の端末との間の前記通信接続は、前記第３の端末から前記第１の端末にマルチメディアデータを一方向に送信することに限ることができる。
【００２４】
幾つかの実施の形態では、前記第１の端末は、前記第２の端末に含めることができる。
【００２５】
本開示の第４の態様によれば、電子デバイスのシステムが、１つ以上の記憶媒体と、該１つ以上の記憶媒体と通信するように構成された１つ以上の処理部とを備えることができる。前記１つ以上の記憶媒体は、オンデマンド輸送プラットフォームに関連付けられた別の端末デバイスに接続する一組の命令を含むことができる。前記１つ以上の処理部が前記一組の命令を実行すると、該１つ以上の処理部は、次の動作のうちの１つ以上を実行するように指示を受けることができる。前記１つ以上の処理部は、第１の電子信号をコンピューターサーバーから受信することができ、該第１の電子信号は、ターゲット端末に関連付けられた端末情報を符号化した第１の構造化データを含む。前記１つ以上の処理部は、前記ターゲット端末の前記端末情報に基づいて前記ターゲット端末と前記電子端末との間の通信接続を開始する第２の電子信号を生成することができる。
【００２６】
幾つかの実施の形態では、前記コンピューターサーバーは、オンラインオンデマンド輸送サービスプラットフォームに関連付けることができ、前記ターゲット端末は、輸送サービスを前記電子端末のユーザーに提供している輸送サービス提供者の端末に関連付けることができる。
【００２７】
幾つかの実施の形態では、第１の構造化データは、前記ターゲット端末の識別情報を符号化した第１の部分と、前記ターゲット端末の接続情報を符号化した第２の部分とを含むことができる。
【００２８】
幾つかの実施の形態では、前記接続情報は、前記ターゲット端末が前記電子端末からの接続要求を受理することを可能にする認可コードを含むことができる。
【００２９】
幾つかの実施の形態では、前記１つ以上の処理部は、前記１つ以上の記憶媒体にアクセスして、該記憶媒体に記憶されたマルチメディアコンテンツを読み出すことができる。前記１つ以上の処理部は、前記マルチメディアコンテンツを第２の構造化データに符号化することができる。前記１つ以上の処理部は、前記第２の構造化データを符号化した第３の電子信号を、前記通信接続を介して前記ターゲット端末に送信することができる。
【００３０】
幾つかの実施の形態では、前記電子端末と前記ターゲット端末との間の前記通信接続は、前記電子端末から前記ターゲット端末にマルチメディアデータを一方向に送信することに限ることができる。
【００３１】
幾つかの実施の形態では、前記１つ以上の処理部は、前記ターゲット端末の前記端末情報に基づいて前記ターゲット端末を前記電子端末と接続する要求を符号化した第４の電子信号を前記ターゲット端末に送信することができる。前記１つ以上の処理部は、前記ターゲット端末を前記電子端末と接続することに同意する応答を符号化した第５の電子信号を前記ターゲット端末から受信することができる。前記１つ以上の処理部は、前記応答に基づいて前記ターゲット端末と前記電子端末との間の前記通信接続を確立することができる。
【００３２】
本開示の第５の態様によれば、方法が、次の動作のうちの１つ以上を含むことができる。電子デバイスの１つ以上の処理部が、第１の電子信号をコンピューターサーバーから受信することができ、該第１の電子信号は、ターゲット端末に関連付けられた端末情報を符号化した第１の構造化データを含む。前記１つ以上の処理部は、前記ターゲット端末の前記端末情報に基づいて前記ターゲット端末と前記電子端末との間の通信接続を開始する第２の電子信号を生成することができる。
【００３３】
本開示の第６の態様によれば、非一時的コンピューター可読媒体が、オンデマンド輸送プラットフォームに関連付けられた別の端末デバイスに接続する少なくとも一組の命令を含むことができる。前記少なくとも１つの一組の命令は、電子デバイスの１つ以上の処理部によって実行することができる。前記１つ以上の処理部は、第１の電子信号をコンピューターサーバーから受信することができ、該第１の電子信号は、ターゲット端末に関連付けられた端末情報を符号化した第１の構造化データを含む。前記１つ以上の処理部は、前記ターゲット端末の前記端末情報に基づいて前記ターゲット端末と前記電子端末との間の通信接続を開始する第２の電子信号を生成することができる。
【００３４】
幾つかの実施の形態では、前記コンピューターサーバーは、オンラインオンデマンド輸送サービスプラットフォームに関連付けることができ、前記ターゲット端末は、輸送サービスを前記電子端末のユーザーに提供している輸送サービス提供者の端末に関連付けることができる。
【００３５】
幾つかの実施の形態では、前記第１の構造化データは、前記ターゲット端末の識別情報を符号化した第１の部分と、前記ターゲット端末の接続情報を符号化した第２の部分とを含むことができる。
【００３６】
幾つかの実施の形態では、前記接続情報は、前記ターゲット端末が前記電子端末からの接続要求を受理することを可能にする認可コードを含むことができる。
【００３７】
幾つかの実施の形態では、前記１つ以上の処理部は、前記１つ以上の記憶媒体にアクセスして、該記憶媒体に記憶されたマルチメディアコンテンツを読み出すことができる。前記１つ以上の処理部は、前記マルチメディアコンテンツを第２の構造化データに符号化することができる。前記１つ以上の処理部は、前記第２の構造化データを符号化した第３の電子信号を、前記通信接続を介して前記ターゲット端末に送信することができる。
【００３８】
幾つかの実施の形態では、前記電子端末と前記ターゲット端末との間の前記通信接続は、前記電子端末から前記ターゲット端末にマルチメディアデータを一方向に送信することに限ることができる。
【００３９】
幾つかの実施の形態では、前記１つ以上の処理部は、前記ターゲット端末の前記端末情報に基づいて前記ターゲット端末を前記電子端末と接続する要求を符号化した第４の電子信号を前記ターゲット端末に送信することができる。前記１つ以上の処理部は、前記ターゲット端末を前記電子端末と接続することに同意する応答を符号化した第５の電子信号を前記ターゲット端末から受信することができる。前記１つ以上の処理部は、前記応答に基づいて前記ターゲット端末と前記電子端末との間の前記通信接続を確立することができる。
【００４０】
本開示を例示的な実施形態について更に説明する。これらの例示的な実施形態は、図面を参照して詳細に説明される。これらの実施形態は、非限定の例示的な実施形態であり、同様の参照符号は、図面の幾つかの図を通して同様の構造体を表している。
【図面の簡単な説明】
【００４１】
【図１】本開示の幾つかの実施形態に係る一例示的なオンデマンドサービスシステムの概略図である。
【図２】本開示の幾つかの実施形態に係る一例示的なコンピューティングデバイスを示す概略図である。
【図３】本開示の幾つかの実施形態に係る一例示的な処理エンジンを示す概略ブロック図である。
【図４】本開示の幾つかの実施形態に係る、２つの端末が両端末間で接続を確立することを支援する一例示的なプロセスを示すフローチャートである。
【図５Ａ】本開示の幾つかの実施形態に係る、サービス要求者に関連付けられた一例示的な第３の端末を示す概略ブロック図である。
【図５Ｂ】本開示の幾つかの実施形態に係る、２つの端末間で接続を確立する一例示的なプロセスを示すフローチャートである。
【図６】本開示の幾つかの実施形態に係る、２つの端末間で接続を確立するプロセスを開始する一例示的なプロセスを示すフローチャートである。
【発明を実施するための形態】
【００４２】
以下の説明は、いずれの当業者も本開示内容を製造及び使用することができるように提示され、特定の用途及びその要件に関して提供されている。開示された実施形態に対する様々な変更は、当業者に容易に明らかであり、本明細書において規定される一般的な原理は、本開示の趣旨及び範囲から逸脱することなく他の実施形態及び用途に適用することができる。したがって、本開示は、提示された実施形態に限定されるものではなく、特許請求の範囲と一致した最も広い範囲を与えられることになる。
【００４３】
本明細書において用いられる術語は、特定の例示の実施形態を説明することのみを目的としており、限定することを意図するものではない。個数が特定されていないものが本明細書において用いられているとき、それらは、文脈が明らかに別のことを示していない限り、単数のもの及び複数のものを含むことが意図され得る。「備える」及び／又は「含む」という用語は、本明細書において用いられるとき、明示された特徴、完全体、ステップ、動作、要素、及び／又は構成要素が存在することを明記しているが、１つ以上の他の特徴、完全体、ステップ、動作、要素、構成要素、及び／又はそれらの群が存在すること又は追加されることを排除するものではないことが更に理解されるであろう。
【００４４】
本開示のこれらの特徴及び特性並びに他の特徴及び特性、更には、構造の関連した要素及び部分の組み合わせの動作の方法及び機能並びに製造の経済性は、添付図面を参照しながら以下の説明を検討することでより明らかになり得る。添付図面の全ては、本明細書の一部をなす。一方、図面は、例示及び説明のみを目的としたものにすぎず、本開示の範囲を限定することを意図するものではないことが明らかに理解されるであろう。なお、図面は、一律の縮尺でないことが理解される。
【００４５】
本開示において用いられるフローチャートは、システムが本開示の幾つかの実施形態に従って実施する動作を示している。フローチャートの動作は、順序どおりに実施されない場合があることが明らかに理解されるであろう。逆に、それらの動作は、逆の順序で実施される場合もあるし、同時に実施される場合もある。その上、１つ以上の他の動作が、フローチャートに追加される場合がある。１つ以上の動作がフローチャートから除去される場合がある。
【００４６】
その上、本開示におけるシステム及び方法は、主として２つの端末が両端末間で接続を確立することを支援することに関して説明されているが、これは１つの例示的な実施形態にすぎないことも理解されるべきである。本開示のシステム又は方法は、他の任意の種類のオンデマンドサービスに適用することができる。例えば、本開示のシステム又は方法は、陸上、海上、航空宇宙空間等、又はそれらの任意の組み合わせを含む異なる環境の輸送システムに適用することができる。輸送システムの車両は、タクシー、自家用車、ヒッチハイク、バス、列車、弾丸列車、高速鉄道、地下鉄、船舶、航空機、宇宙船、熱気球、無人車両等、又はそれらの任意の組み合わせを含むことができる。輸送システムは、管理及び／又は配送のための任意の輸送システム、例えば、速達便を送付及び／又は受領するシステムも含むことができる。本開示のシステム又は方法の用途は、ウェブページ、ブラウザのプラグイン、クライアント端末、カスタムシステム、内部解析システム、人工知能ロボット等、又はそれらの任意の組み合わせを含むことができる。
【００４７】
本開示における「乗客」、「要求者」、「サービス要求者」、及び「顧客」という用語は、サービスを要求又はオーダーすることができる個人、団体又はツールを指すために区別なく用いられる。また、本開示における「ドライバー」、「提供者」、「サービス提供者」、及び「供給者」という用語は、サービスを提供することができるか又はサービスの提供を容易にすることができる個人、団体又はツールを指すために区別なく用いられる。本開示における「ユーザー」という用語は、サービスを要求することができる個人、団体若しくはツール、サービスをオーダーすることができる個人、団体若しくはツール、サービスを提供することができる個人、団体若しくはツール、又はサービスの提供を容易にすることができる個人、団体若しくはツールを指すことができる。例えば、ユーザーは、乗客、ドライバー、オペレーター等、又はそれらの任意の組み合わせであってもよい。本開示において、「乗客」及び「乗客端末」は、区別なく用いられる場合があり、「ドライバー」及び「ドライバー端末」は、区別なく用いられる場合がある。
【００４８】
本開示における「サービス要求」及び「オーダー」という用語は、乗客、要求者、サービス要求者、顧客、ドライバー、提供者、サービス提供者、供給者等、又はそれらの任意の組み合わせが開始することができる要求を指すために区別なく用いられる。サービス要求は、乗客、要求者、サービス要求者、顧客、ドライバー、提供者、サービス提供者、又は供給者のうちの任意の者が受理することができる。サービス要求は、有料の場合もあるし、無料の場合もある。
【００４９】
本開示において用いられる測位技術は、全地球測位システム（ＧＰＳ）、全地球航法衛星システム（ＧＬＯＮＡＳＳ）、コンパスナビゲーションシステム（ＣＯＭＰＡＳＳ）、ガリレオ測位システム、準天頂衛星システム（ＱＺＳＳ）、ワイヤレスフィデリティー（ＷｉＦｉ）測位技術等、又はそれらの任意の組み合わせに基づくことができる。上記測位システムのうちの１つ以上は、本開示において区別なく用いられる場合がある。
【００５０】
本開示の一態様は、乗客（すなわち、サービス要求者）のスマートフォン（すなわち、要求者端末）がサービス提供者の車両（例えば、タクシー）内のディスプレイ（すなわち、マルチメディアプレーヤー）との接続を確立することを支援するオンラインシステム及びオンライン方法に関する。このために、乗客が車両に乗車すると、乗客のスマートフォン又はドライバーのスマートフォンは、乗客が車内にいることをオンラインオンデマンド輸送サービスプラットフォームのサーバーに通知することができ、次に、このサーバーは、そのディスプレイのＢｌｕｅｔｏｏｔｈ（登録商標）ＩＤ及びパスワード等の、車両内のディスプレイに接続するのに必要な情報をスマートフォンに送信することができる。スマートフォンは、乗客がビデオを観るとき、これらのＩＤ及びパスワードを用いて、ディスプレイに自動的に接続し、ビデオデータをディスプレイに送信することができる。その結果、乗客は、自身のスマートフォンを用いることなくビデオを楽しむことができる。
【００５１】
本開示の技術的解決策は、オンライン通信に関する。特に、この技術的解決策は、オンラインオンデマンド輸送プラットフォームのサーバーから第三者の無線接続情報を無線で送信することに関する。この技術及び解決策は、ポストインターネット時代にのみ根差している。一般に、乗客は、車両（例えば、タクシー）内にいるとき、自身のスマートフォンで音楽を聴くことができ又はビデオを観ることができる。乗客が車両内のディスプレイ（例えば、マルチメディアプレーヤー又はドライバーのスマートフォン）と接続して、このディスプレイで音楽を聴きたい場合又はビデオを観たい場合、乗客は、このディスプレイの認可コード及び／又は識別情報をドライバーに尋ねることができる。一方で、オンラインオンデマンドサービスシステムが、ディスプレイの認可コード及び／又は識別情報を取得し、この認可コード及び／又は識別情報を乗客のスマートフォンに送信してもよい。乗客のスマートフォンは、受信された認可コード及び／又は識別情報に基づいてディスプレイと自動的に接続することができる。したがって、インターネットを通じて、オンラインオンデマンド輸送システムは、乗客のスマートフォンが車両内のディスプレイと自動的に接続することを支援するはるかに便利な取引プラットフォームを提供することができる。
【００５２】
図１は、幾つかの実施形態に係る一例示的なオンデマンドサービスシステム１００の概略図である。例えば、オンデマンドサービスシステム１００は、タクシー配車、運転代行サービス、配送車両、カープール、バスサービス、ドライバーハイヤー、及びシャトルサービス等の輸送サービスのオンラインオンデマンド輸送サービスシステムとすることができる。オンデマンドサービスシステム１００は、サーバー１１０と、ネットワーク１２０と、要求者端末１３０と、提供者端末１４０と、記憶装置１５０と、測位システム１６０と、車両端末１７０とを備えることができる。サーバー１１０は、処理エンジン１１２を備えることができる。
【００５３】
幾つかの実施形態では、サーバー１１０は、単一のサーバーであってもよいし、サーバーグループであってもよい。サーバーグループは、集中型であってもよいし、分散型であってもよい（例えば、サーバー１１０は分散型システムであってもよい）。幾つかの実施形態では、サーバー１１０は、ローカルであってもよいし、リモートであってもよい。例えば、サーバー１１０は、要求者端末１３０、提供者端末１４０、及び／又は記憶装置１５０に記憶された情報及び／又はデータにネットワーク１２０を介してアクセスすることができる。別の例として、サーバー１１０は、要求者端末１３０、提供者端末１４０、及び／又は記憶装置１５０に直接接続されて、記憶された情報及び／又はデータにアクセスすることができる。幾つかの実施形態では、サーバー１１０は、クラウドプラットフォーム上で実施されてもよい。単なる例として、クラウドプラットフォームは、プライベートクラウド、パブリッククラウド、ハイブリッドクラウド、コミュニティクラウド、分散型クラウド、インタークラウド、マルチクラウド等、又はそれらの任意の組み合わせを含むことができる。幾つかの実施形態では、サーバー１１０は、本開示における図２に示す１つ以上の構成要素を有するコンピューティングデバイス２００上で実施されてもよい。
【００５４】
幾つかの実施形態では、サーバー１１０は、処理エンジン１１２を備えることができる。処理エンジン１１２は、サービス要求に関する情報及び／又はデータを処理して、本開示に説明された１つ以上の機能を実行する。例えば、処理エンジン１１２は、基準パラメーター、及び要求者端末１３０から取得されたサービス要求に関連付けられた実際のパラメーターを求めることができる。幾つかの実施形態では、処理エンジン１１２は、１つ以上の処理エンジン（例えば、シングルコア処理エンジン（複数の場合もある）又はマルチコアプロセッサ（複数の場合もある））を含むことができる。単なる例として、処理エンジン１１２は、中央処理装置（ＣＰＵ）、特定用途向け集積回路（ＡＳＩＣ）、特定用途向け命令セットプロセッサ（ＡＳＩＰ）、グラフィックス処理装置（ＧＰＵ）、物理処理装置（ＰＰＵ）、デジタル信号プロセッサ（ＤＳＰ）、フィールドプログラマブルゲートアレイ（ＦＰＧＡ）、プログラマブルロジックデバイス（ＰＬＤ）、コントローラー、マイクロコントローラーユニット、縮小命令セットコンピューター（ＲＩＳＣ）、マイクロプロセッサ等、又はそれらの任意の組み合わせ等の１つ以上のハードウェアプロセッサを含むことができる。
【００５５】
ネットワーク１２０は、情報及び／又はデータの交換を容易にすることができる。幾つかの実施形態では、オンデマンドサービスシステム１００における１つ以上の構成要素（例えば、サーバー１１０、要求者端末１３０、提供者端末１４０、記憶装置１５０、測位システム１６０、及び車両端末１７０）は、ネットワーク１２０を介してオンデマンドサービスシステム１００における他の構成要素（複数の場合もある）に情報及び／又はデータを送信することができる。例えば、サーバー１１０は、要求者端末１３０からネットワーク１２０を介してサービス要求を取得／入手することができる。幾つかの実施形態では、ネットワーク１２０は、任意のタイプの有線ネットワーク若しくは無線ネットワーク、又はそれらの組み合わせであってもよい。単なる例として、ネットワーク１３０は、ケーブルネットワーク、ワイヤーラインネットワーク、光ファイバーネットワーク、電気通信ネットワーク、イントラネット、インターネット、ローカルエリアネットワーク（ＬＡＮ）、ワイドエリアネットワーク（ＷＡＮ）、無線ローカルエリアネットワーク（ＷＬＡＮ）、メトロポリタンエリアネットワーク（ＭＡＮ）、ワイドエリアネットワーク（ＷＡＮ）、公衆電話交換網（ＰＳＴＮ）、Ｂｌｕｅｔｏｏｔｈ（登録商標）ネットワーク、ＺｉｇＢｅｅネットワーク、近接場通信（ＮＦＣ）ネットワーク等、又はそれらの任意の組み合わせを含むことができる。幾つかの実施形態では、ネットワーク１２０は、１つ以上のネットワークアクセスポイントを備えることができる。例えば、ネットワーク１２０は、基地局及び／又はインターネットエクスチェンジポイント１２０−１、１２０−２、．．．等の有線ネットワークアクセスポイント又は無線ネットワークアクセスポイントを備えることができ、これらのアクセスポイントを通じて、オンデマンドサービスシステム１００の１つ以上の構成要素は、ネットワーク１２０に接続されてデータ及び／又は情報を交換することができる。
【００５６】
幾つかの実施形態では、要求者は、要求者端末１３０のユーザーである場合がある。幾つかの実施形態では、要求者端末１３０のユーザーは、要求者以外の者である場合がある。例えば、要求者端末１３０のユーザーＡは、要求者端末１３０を用いて、ユーザーＢのサービス要求を送信することもできるし、サービス及び／又は情報若しくは命令をサーバー１１０から受信することもできる。幾つかの実施形態では、提供者は、提供者端末１４０のユーザーである場合がある。幾つかの実施形態では、提供者端末１４０のユーザーは、提供者以外の者である場合がある。例えば、提供者端末１４０のユーザーＣは、提供者端末１４０を用いて、ユーザーＤのサービス要求、及び／又は情報若しくは命令をサーバー１１０から受信することができる。幾つかの実施形態では、「要求者」及び「要求者端末」は、区別なく用いられる場合があり、「提供者」及び「提供者端末」は、区別なく用いられる場合がある。
【００５７】
幾つかの実施形態では、要求者端末１３０は、モバイルデバイス１３０−１、タブレットコンピューター１３０−２、ラップトップコンピューター１３０−３、自動車内の組み込みデバイス１３０−４等、又はそれらの任意の組み合わせを含むことができる。幾つかの実施形態では、モバイルデバイス１３０−１は、スマートホームデバイス、ウェアラブルデバイス、モバイルデバイス、仮想現実デバイス、拡張現実デバイス等、又はそれらの任意の組み合わせを含むことができる。幾つかの実施形態では、スマートホームデバイスは、スマート照明デバイス、インテリジェント電気装置の制御デバイス、スマート監視デバイス、スマートテレビ、スマートビデオカメラ、インターフォン等、又はそれらの任意の組み合わせを含むことができる。幾つかの実施形態では、ウェアラブルデバイスは、ブレスレット、フットギア、眼鏡、ヘルメット、ウォッチ、衣服、バックパック、スマートアクセサリー等、又はそれらの任意の組み合わせを含むことができる。幾つかの実施形態では、モバイルデバイスは、モバイルフォン、パーソナルデジタルアシスタント（ＰＤＡ：携帯情報端末）、ゲーミングデバイス、ナビゲーションデバイス、販売時点（ＰＯＳ）デバイス、ラップトップ、デスクトップ等、又はそれらの任意の組み合わせを含むことができる。幾つかの実施形態では、仮想現実デバイス及び／又は拡張現実デバイスは、仮想現実ヘルメット、仮想現実グラス、仮想現実パッチ、拡張現実ヘルメット、拡張現実グラス、拡張現実パッチ等、又はそれらの任意の組み合わせを含むことができる。例えば、仮想現実デバイス及び／又は拡張現実デバイスは、Ｇｏｏｇｌｅ  Ｇｌａｓｓ（商標）、ＲｉｆｔＣｏｎ（商標）、Ｆｒａｇｍｅｎｔｓ（商標）、Ｇｅａｒ  ＶＲ（商標）等を含むことができる。幾つかの実施形態では、自動車内の組み込みデバイス１３０−４は、オンボードコンピューター、オンボードテレビ等を含むことができる。幾つかの実施形態では、要求者端末１３０は、要求者及び／又は要求者端末１３０の場所を突き止める測位技術を有するデバイスであってもよい。
【００５８】
幾つかの実施形態では、提供者端末１４０は、要求者端末１３０と同様のデバイスであってもよいし、同じデバイスであってもよい。幾つかの実施形態では、提供者端末１４０は、提供者端末１４０（例えば、サービス提供者）のユーザー及び／又は提供者端末１４０の場所を突き止める測位技術を利用するデバイスであってもよい。幾つかの実施形態では、要求者端末１３０及び／又は提供者端末１４０は、１つ以上の他の測位デバイスと通信して、要求者、要求者端末１３０、提供者、及び／又は提供者端末１４０の場所を求めることができる。幾つかの実施形態では、要求者端末１３０及び／又は提供者端末１４０は、測位情報をサーバー１１０に送信することができる。
【００５９】
記憶装置１５０は、データ及び／又は命令を記憶することができる。幾つかの実施形態では、記憶装置１５０は、要求者端末１３０及び／又は提供者端末１４０から取得されたデータを記憶することができる。幾つかの実施形態では、記憶装置１５０は、サーバー１１０が、実行又は使用して、本開示において説明する例示的な方法を実行することができるデータ及び／又は命令を記憶することができる。幾つかの実施形態では、記憶装置１５０は、マスストレージ、リムーバブルストレージ、揮発性リードライトメモリ、リードオンリーメモリ（ＲＯＭ）等、又はそれらの任意の組み合わせを含むことができる。例示的なマスストレージは、磁気ディスク、光ディスク、ソリッドステートドライブ等を含むことができる。例示的なリムーバブルストレージは、フラッシュドライブ、フロッピーディスク、光ディスク、メモリカード、ｚｉｐディスク、磁気テープ等を含むことができる。例示的な揮発性リードライトメモリは、ランダムアクセスメモリ（ＲＡＭ）を含むことができる。例示的なＲＡＭは、ダイナミックＲＡＭ（ＤＲＡＭ）、ダブルデータレート同期ダイナミックＲＡＭ（ＤＤＲ  ＳＤＲＡＭ）、スタティックＲＡＭ（ＳＲＡＭ）、サイリスタＲＡＭ（Ｔ−ＲＡＭ）、及びゼロキャパシタＲＡＭ（Ｚ−ＲＡＭ）等を含むことができる。例示的なＲＯＭは、マスクＲＯＭ（ＭＲＯＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、及びデジタル多用途ディスクＲＯＭ等を含むことができる。幾つかの実施形態では、記憶装置１５０は、クラウドプラットフォーム上で実施されてもよい。単なる例として、クラウドプラットフォームは、プライベートクラウド、パブリッククラウド、ハイブリッドクラウド、コミュニティクラウド、分散型クラウド、インタークラウド、マルチクラウド等、又はそれらの任意の組み合わせを含むことができる。
【００６０】
幾つかの実施形態では、記憶装置１５０は、ネットワーク１２０に接続されて、オンデマンドサービスシステム１００における１つ以上の構成要素（例えば、サーバー１１０、要求者端末１３０、提供者端末１４０等）と通信することができる。オンデマンドサービスシステム１００における１つ以上の構成要素は、記憶装置１５０に記憶されたデータ又は命令にネットワーク１２０を介してアクセスすることができる。幾つかの実施形態では、記憶装置１５０は、オンデマンドサービスシステム１００における１つ以上の構成要素（例えば、サーバー１１０、要求者端末１３０、提供者端末１４０等）に直接接続することもできるし、これらの構成要素と通信することもできる。幾つかの実施形態では、記憶装置１５０は、サーバー１１０の一部分であってもよい。
【００６１】
測位システム１６０は、対象物、例えば、要求者端末１３０、提供者端末１４０等のうちの１つ以上に関連付けられた情報を求めることができる。例えば、測位システム１６０は、要求者端末１３０の現在位置を求めることができる。幾つかの実施形態では、測位システム１６０は、全地球測位システム（ＧＰＳ）、全地球航法衛星システム（ＧＬＯＮＡＳＳ）、コンパスナビゲーションシステム（ＣＯＭＰＡＳＳ）、北斗衛星導航系統、ガリレオ測位システム、準天頂衛星システム（ＱＺＳＳ）等とすることができる。上記情報は、対象物の位置、高度、速度、若しくは加速度、又は現在時刻を含むことができる。この位置は、緯度座標及び経度座標等の座標の形態であってもよい。測位システム１６０は、１つ以上の衛星、例えば、衛星１６０−１、衛星１６０−２、及び衛星１６０−３を含むことができる。衛星１６０−１〜１６０−３は、上述した情報を個別に又は併せて求めることができる。衛星測位システム１６０は、上述した情報を、無線接続を介してネットワーク１２０、要求者端末１３０、又は提供者端末１４０に送信することができる。
【００６２】
車両端末１７０は、車両に関連付けられた端末を指すことができる。車両端末１７０は、車両内の組み込みデバイスを含むことができる。車両端末１７０は、ＭＰ３プレーヤー、ＭＰ４プレーヤー、テレビ、タブレットコンピューター、ラップトップ、デスクトップコンピューター、モバイルフォン等、又はそれらの任意の組み合わせを含むことができる。幾つかの実施形態では、車両端末１７０は、提供者端末１４０に含まれていてもよい。
【００６３】
幾つかの実施形態では、オンデマンドサービスシステム１００における１つ以上の構成要素（例えば、サーバー１１０、要求者端末１３０、提供者端末１４０等）は、記憶装置１５０にアクセスする許可を有することができる。幾つかの実施形態では、オンデマンドサービスシステム１００における１つ以上の構成要素は、１つ以上の条件が満たされたとき、要求者、提供者、及び／又は公衆に関する情報を読み出し及び／又は変更することができる。例えば、サーバー１１０は、サービスの終了後に１人以上のユーザーの情報を読み出し及び／又は変更することができる。別の例として、提供者端末１４０は、要求者端末１３０からサービス要求を受信すると、要求者に関する情報にアクセスすることはできるが、提供者端末１４０は、要求者の関連情報を変更することはできない。
【００６４】
幾つかの実施形態では、オンデマンドサービスシステム１００における１つ以上の構成要素の情報交換は、サービスの要求を介して達成することができる。サービス要求の対象は、任意の商品（product：生産品）とすることができる。幾つかの実施形態では、この商品は、有形の商品であってもよいし、非物質的な商品であってもよい。有形の商品は、食料品、医薬品、日用品、化学製品、電気器具、衣料品、自動車、家屋物件、高級品等、又はそれらの任意の組み合わせを含むことができる。非物質的な商品は、サービス財、金融商品、知的産物、インターネット商品等、又はそれらの任意の組み合わせを含むことができる。インターネット商品は、個別ホスト商品、ウェブ商品、モバイルインターネット商品、商用ホスト商品、組み込み商品等、又はそれらの任意の組み合わせを含むことができる。モバイルインターネット商品は、モバイル端末のソフトウェア、プログラム、システム等、又はそれらの任意の組み合わせにおいて用いることができる。モバイル端末は、タブレットコンピューター、ラップトップコンピューター、モバイルフォン、パーソナルデジタルアシスタント（ＰＤＡ）、スマートウォッチ、販売時点（ＰＯＳ）デバイス、オンボードコンピューター、オンボードテレビ、ウェアラブルデバイス等、又はそれらの任意の組み合わせを含むことができる。例えば、商品は、コンピューター又はモバイルフォンにおいて用いられる任意のソフトウェア及び／又はアプリケーションであってもよい。このソフトウェア及び／又はアプリケーションは、ソーシャライジング、ショッピング、輸送、娯楽、学習、投資等、又はそれらの任意の組み合わせに関するものであってもよい。幾つかの実施形態では、輸送に関するソフトウェア及び／又はアプリケーションは、旅行ソフトウェア及び／又は旅行アプリケーション、車両スケジューリングソフトウェア及び／又は車両スケジューリングアプリケーション、地図ソフトウェア及び／又は地図アプリケーション等を含むことができる。車両スケジューリングソフトウェア及び／又は車両スケジューリングアプリケーションにおいて、車両は、馬、運搬車、人力車（例えば、一輪手押し車、二輪自転車、三輪自転車等）、自動車（例えば、タクシー、バス、自家用車等）、列車、地下鉄、船舶、航空機（例えば、飛行機、ヘリコプター、スペースシャトル、ロケット、熱気球等）等、又はそれらの任意の組み合わせを含むことができる。
【００６５】
図２は、本開示の幾つかの実施形態に係る、サーバー１１０、要求者端末１３０、車両端末１７０、及び／又は提供者端末１４０を実施することができるコンピューティングデバイス２００の例示的なハードウェア構成要素及びソフトウェア構成要素を示す概略図である。例えば、処理エンジン１１２は、コンピューティングデバイス２００上で実施することができ、本開示において開示された処理エンジン１１２の機能を実行するように構成することができる。
【００６６】
コンピューティングデバイス２００は、汎用コンピューターであってもよいし、専用コンピューターであってもよく、いずれも、本開示のオンデマンドシステムを実施するのに用いることができる。コンピューティングデバイス２００は、本明細書において説明するようなオンデマンドサービスの任意の構成要素を実施するのに用いることができる。例えば、処理エンジン１１２は、コンピューティングデバイス２００上で、そのハードウェア、ソフトウェアプログラム、ファームウェア、又はそれらの組み合わせによって実施することができる。便宜上、１つのそのようなコンピューターしか示されていないが、本明細書において説明するようなオンデマンドサービスに関するコンピューターの機能は、処理負荷を分散させるために、複数の同様のプラットフォーム上に分散形式で実施されてもよい。
【００６７】
コンピューティングデバイス２００は、例えば、ネットワークに接続されて、接続されたネットワークに対するデータ通信を容易にするＣＯＭポート２５０を備えることができる。コンピューティングデバイス２００は、プログラム命令を実行する１つ以上のプロセッサの形態のプロセッサ２２０も備えることができる。この例示的なコンピュータープラットフォームは、内部通信バス２１０と、種々の形態のプログラム記憶装置及びデータ記憶装置、例えばディスク２７０と、このコンピューターによって処理及び／又は送信される様々なデータファイルのためのリードオンリーメモリ（ＲＯＭ）２３０又はランダムアクセスメモリ（ＲＡＭ）２４０とを備えることができる。この例示的なコンピュータープラットフォームは、プロセッサ２２０によって実行される、ＲＯＭ２３０、ＲＡＭ２４０、及び／又は他の任意のタイプの非一時的記憶媒体に記憶されたプログラム命令も有することができる。本開示の方法及び／又はプロセスは、プログラム命令として実施されてもよい。コンピューティングデバイス２００は、このコンピューターと、当該コンピューターにおける他の構成要素との間の入力／出力をサポートするＩ／Ｏ構成要素２６０も備える。コンピューティングデバイス２００は、ネットワーク通信を介してプログラミング及びデータも受信することができる。
【００６８】
単なる例示として、１つのプロセッサのみがコンピューティングデバイス２００において示されている。しかしながら、当然、本開示におけるコンピューティングデバイス２００は、複数のプロセッサも備えてもよく、したがって、本開示において説明するように１つのプロセッサによって実行される動作及び／又は方法ステップは、複数のプロセッサによって共同で又は別々に実行されてもよい。例えば、本開示において、コンピューティングデバイス２００のプロセッサが、ステップＡ及びステップＢの双方を実行する場合、ステップＡ及びステップＢは、コンピューティングデバイス２００における２つの異なるプロセッサによって共同で又は別々に実行されてもよい（例えば、第１のプロセッサがステップＡを実行し、第２のプロセッサがステップＢを実行するか、又は、第１のプロセッサ及び第２のプロセッサがステップＡ及びステップＢを共同で実行する）ことが理解されるであろう。
【００６９】
図３は、本開示の幾つかの実施形態に係る一例示的な処理エンジン１１２を示す概略ブロック図である。処理エンジン１１２は、通信モジュール３１０と、決定モジュール３２０と、端末特定モジュール３３０とを備えることができる。
【００７０】
通信モジュール３１０は、車両に関連付けられた第１の端末（例えば、図１の車両端末１７０）、サービス提供者に関連付けられた第２の端末（例えば、図１の提供者端末１４０）又はサービス要求者に関連付けられた第３の端末（例えば、図１の要求者端末１３０）に関連した情報を受信及び／又は送信するように構成することができる。幾つかの実施形態では、第２の端末は、第１の端末を含んでもよい。
【００７１】
幾つかの実施形態では、第３の端末（例えば、サービス要求者端末１３０）は、当該第３の端末にインストールされたアプリケーションを介して処理エンジン１１２と通信することができる。サービス要求者は、輸送サービスの要求をこのアプリケーションを通じて処理エンジン１１２に送信することができる。幾つかの実施形態では、輸送サービスは、車両を用いて或る位置から別の位置に対象（subject）を運搬するサービスとすることができる。対象は、乗客及び／又は品物を含むことができる。例えば、輸送サービスは、タクシーサービス又は配送サービスとすることができる。輸送システムの車両は、タクシー、自家用車、ヒッチハイク、バス、二輪自転車、電動自転車、三輪自転車、オートバイ、列車、弾丸列車、高速列車、地下鉄、船舶、航空機、宇宙船、熱気球、無人車両等、又はそれらの任意の組み合わせを含むことができる。
【００７２】
幾つかの実施形態では、サービス提供者は、サービス要求者からの輸送サービスの要求を受理し、車両を用いて輸送サービスをサービス要求者に提供する者とすることができる。例えば、サービス提供者は、タクシードライバーとすることができ、サービス要求者は、タクシー配車サービスを要求する乗客とすることができる。第２の端末（例えば、サービス提供者端末１４０）は、第２の端末にインストールされたアプリケーションを介して処理エンジン１１２と通信することができる。サービス提供者は、処理エンジン１１２から輸送サービスの要求を受信し、アプリケーションを通じてこの輸送サービスの要求を受理することができる。
【００７３】
幾つかの実施形態では、通信モジュール３１０は、第１の端末の端末情報を第２の端末から受信することができる。幾つかの実施形態では、通信モジュール３１０は、第１の端末の端末情報を第３の端末に送信することができる。幾つかの実施形態では、通信モジュール３１０は、第１の端末と第３の端末との間の接続を確立することをサービス要求者に想起させる通知を第３の端末に送信することができる。幾つかの実施形態では、第１の端末と第３の端末との間の接続は、ケーブルネットワーク、有線ネットワーク、光ファイバーネットワーク、電気通信ネットワーク、イントラネット、インターネット、ローカルエリアネットワーク（ＬＡＮ）、ワイドエリアネットワーク（ＷＡＮ）、無線ローカルエリアネットワーク（ＷＬＡＮ）、メトロポリタンエリアネットワーク（ＭＡＮ）、ワイドエリアネットワーク（ＷＡＮ）、公衆電話交換網（ＰＳＴＮ）、Ｂｌｕｅｔｏｏｔｈ（登録商標）ネットワーク、ＺｉｇＢｅｅネットワーク、近接場通信（ＮＦＣ）ネットワーク、赤外線接続等、又はそれらの任意の組み合わせを含むことができる。幾つかの実施形態では、端末情報は、第１の端末の識別情報、接続情報等、又はそれらの任意の組み合わせを含むことができる。この接続情報は、第１の端末が第３の端末との接続を確立することを可能にする認可コードを含むことができる。
【００７４】
決定モジュール３２０は、第１の端末の端末情報を第３の端末にいつ送信するのかを決定するように構成することができる。例えば、決定モジュール３２０は、サービス提供者が輸送サービスをサービス要求者に提供していると判断することができる。通信モジュール３１０は、この決定に応答して、第１の端末の端末情報を第３の端末に送信することができる。
【００７５】
端末特定モジュール３３０は、第３の端末を特定するように構成することができる。幾つかの実施形態では、判断結果は、第３の端末の識別情報を含むことができる。端末特定モジュール３３０は、第３の端末の識別情報に基づいて第３の端末を特定することができる。
【００７６】
幾つかの実施形態では、第１の端末、第２の端末又は第３の端末に関連した情報は、任意の適した通信プロトコル（例えば、ハイパーテキスト転送プロトコル（ＨＴＴＰ）、アドレス解決プロトコル（ＡＲＰ）、動的ホスト構成プロトコル（ＤＨＣＰ）、ファイル転送プロトコル（ＦＴＰ）等）を用いて送信及び／又は受信することができる。
【００７７】
処理エンジン１１２内のモジュールは、有線接続又は無線接続を介して互いに接続又は通信することができる。有線接続は、金属ケーブル、光ケーブル、ハイブリッドケーブル等、又はそれらの任意の組み合わせを含むことができる。無線接続は、ローカルエリアネットワーク（ＬＡＮ）、ワイドエリアネットワーク（ＷＡＮ）、Ｂｌｕｅｔｏｏｔｈ（登録商標）、ＺｉｇＢｅｅ、近接場通信（ＮＦＣ）、赤外線接続等、又はそれらの任意の組み合わせを含むことができる。これらのモジュールのうちの２つ以上は、単一のモジュールとして組み合わされてもよく、これらのモジュールのうちのいずれか１つは、２つ以上のユニットに分割されてもよい。例えば、端末特定モジュール３３０は、第１の端末に関連付けられた端末情報を第３の端末に送信する時を決定することと、第３の端末を特定することとの双方を行うことができる単一のモジュールとして、決定モジュール３２０内に統合することができる。別の例として、処理エンジン１１２は、当該処理エンジン１１２内のモジュールに関連付けられたデータ及び／又は命令を記憶するように構成することができる記憶モジュール（図３に図示せず）を備えることができる。
【００７８】
当業者であれば、オンデマンドサービスシステム１００の要素が動作するとき、その要素は、電気信号（例えば、電流）及び／又は電磁信号を通じて動作することができることを理解している。例えば、要求者端末１３０が、サービス要求をサーバー１１０に送出するとき、要求者端末１３０のプロセッサは、この要求を符号化した電気信号を生成することができる。次に、要求者端末１３０のプロセッサは、この電気信号を出力ポートに送信することができる。要求者端末１３０が、有線ネットワークを介してサーバー１１０と通信する場合、出力ポートは、電気信号をサーバー１１０の入力ポートに更に送信するケーブルに物理的に接続することができる。サービス端末１３０が、無線ネットワークを介してサーバー１１０と通信する場合、要求者端末１３０の出力ポートは、電気信号を電磁信号に変換する１つ以上のアンテナとすることができる。同様に、提供者端末１４０は、電気信号又は電磁信号を介してサーバー１１０から命令及び／又はサービス要求を受信することができる。要求者端末１３０、提供者端末１４０、及び／又はサーバー１１０等の電子デバイス内では、そのプロセッサが、命令を処理し、命令を送出し、及び／又は動作を実行するとき、その命令及び／又は動作は、電気信号を介して実施される。例えば、プロセッサは、記憶媒体に対するデータの取り出し又は保存を行うとき、記憶媒体において構造化データを読み出し又は書き込むことができる記憶媒体の読み出し／書き込みデバイスに電気信号を送出することができる。この構造化データは、電子デバイスのバスを介して電気信号の形態でプロセッサに送信することができる。ここで、電気信号は、１つの電気信号、一連の電気信号、及び／又は複数の離散電気信号を指すことができる。
【００７９】
図４は、本開示の幾つかの実施形態に係る、２つの端末が両端末間で接続を確立することを支援する一例示的なプロセス／方法４００を示すフローチャートである。プロセス及び／又は方法４００は、サーバー１１０内の処理エンジン１１２によって実行することができる。例えば、このプロセス及び／又は方法４００は、記憶装置ＲＯＭ２３０又は記憶装置ＲＡＭ２４０に記憶された一組の命令（例えば、アプリケーション）として実施することができる。プロセッサ２２０は、一組の命令を実行することができ、それに応じて、プロセス及び／又は方法４００を実行するように指示を受けることができる。以下に提示する図示したプロセス／方法の動作は、例示を目的としたものである。幾つかの実施形態では、このプロセス／方法４００は、記載されていない１つ以上の追加の動作を伴って達成することができ、及び／又は論述される動作のうちの１つ以上を伴わずに達成することができる。加えて、図４に示すとともに以下で説明するようなプロセス／方法の動作の順序は、限定を目的としたものではない。
【００８０】
ステップ４０２において、通信モジュール３１０は、第１の端末に関連付けられた端末情報を第２の端末から受信することができる。
【００８１】
例えば、第１の端末は、車両内に設置されたディスプレイデバイスとすることができ、第２の端末は、タクシードライバーのスマートフォン等のドライバーの端末とすることができる。勤務時間中、ドライバーの端末は、車両ディスプレイデバイスの無線接続ＩＤ及びパスワードをオンライン輸送サービスプラットフォームのサーバーに送信することができる。
【００８２】
したがって、幾つかの実施形態では、端末情報は、車両ディスプレイデバイスの識別情報、接続情報等、又はそれらの任意の組み合わせを含むことができる。接続情報は、車両ディスプレイデバイスが乗客の端末との接続を確立することを可能にする認可コードを含むことができる。
【００８３】
幾つかの実施形態では、ドライバーの端末は、車両ディスプレイデバイスの端末情報を取得し、車両ディスプレイデバイスの端末情報を処理エンジン１１２に送信することができる。例えば、ドライバーの端末は、車両ディスプレイデバイスとの接続（例えば、Ｂｌｕｅｔｏｏｔｈ（登録商標）接続、無線ローカルエリアネットワーク（ＷＬＡＮ）接続又は赤外線接続）を確立することができる。ドライバーの端末は、この接続を介して車両ディスプレイデバイスの端末情報を取得し、車両ディスプレイデバイスの端末情報を、ネットワーク１２０を介して処理エンジン１１２に送信することができる。
【００８４】
幾つかの実施形態では、通信モジュール３１０は、車両信号をドライバーの端末から受信することができる。これらの車両信号は、車両ディスプレイデバイスに関連付けられた端末情報を符号化した車両構造化データを含む。幾つかの実施形態では、この車両構造化データは、車両ディスプレイデバイスの識別情報を符号化した第１の部分と、車両ディスプレイデバイスの接続情報を符号化した第２の部分とを含むことができる。幾つかの実施形態では、車両信号は、無線信号とすることができる。
【００８５】
ステップ４０４において、決定モジュール３２０は、サービス提供者が輸送サービスをサービス要求者に提供していると判断することによる判断結果を生成することができる。
【００８６】
幾つかの実施形態では、ドライバーの端末（例えば、第２の端末又はサービス提供者端末１４０）は、当該ドライバーの端末にインストールされたアプリケーションを介して処理エンジン１１２と通信することができる。幾つかの実施形態では、ドライバーの端末にインストールされたアプリケーションは、ドライバーがコマンド及び／又は指示をドライバーの端末及び／又は処理エンジン１１２に送信するためのインターフェースを提供することができる。例えば、ドライバーは、このインターフェースを用いて、当該ドライバーが乗客からの輸送サービスの要求を受理するという第１の指示を処理エンジン１１２に送信することができる。別の例として、ドライバーは、このインターフェースを用いて、当該ドライバーが乗客をピックアップしたという第２の指示を処理エンジン１１２に送信することができる。更に別の例として、ドライバーは、このインターフェースを用いて、当該ドライバーが乗客に課金を開始するという第３の指示を処理エンジン１１２に送信することができる。更に別の例として、乗客が、インターフェースを用いて、ドライバーとの上述のようなサービスについての自身のステータスを処理エンジン１１２に通知することができるように、アプリケーションは、乗客の端末にインストールされてもよい。決定モジュール３２０は、第１の指示、第２の指示又は第３の指示のうちの少なくとも１つをドライバーの端末及び／又は乗客の端末から受信すると、ドライバーが輸送サービスをドライバーに提供しているという判断結果を生成することができる。
【００８７】
幾つかの実施形態では、ドライバーの端末及び／又は乗客の端末は、第１の指示、第２の指示又は第３の指示のうちの少なくとも１つを符号化した第１の部分と、ドライバーが輸送サービスをサービス要求者に提供しているとの判断結果を生成するように決定モジュール３２０に指示するコマンドを符号化した第２の部分と、ドライバーの端末の識別情報を符号化した第３の部分と、乗客の端末の識別情報を符号化した第４の部分とを含むサービス信号を決定モジュール３２０に送信することができる。
【００８８】
幾つかの実施形態では、決定モジュール３２０は、ドライバーの端末及び／又は乗客の端末からの上記サービス信号に基づいて、ドライバーが輸送サービスをサービス要求者に提供しているとの判断結果を符号化した第１の部分と、乗客の端末を特定するように端末識別情報モジュール３３０に指示するコマンドを符号化した第２の部分と、乗客の端末の識別情報を符号化した第３の部分とを含む決定信号を生成することができる。決定モジュール３２０は、決定信号を端末識別情報モジュール３３０に送信することができる。
【００８９】
ステップ４０６において、端末識別情報モジュール３３０は、この判断結果に応答して第３の端末を特定することができる。
【００９０】
幾つかの実施形態では、判断結果は、乗客の端末の識別情報を含むことができる。端末特定モジュール３３０は、乗客の端末の識別情報に基づいて乗客の端末を特定することができる。
【００９１】
幾つかの実施形態では、端末識別情報モジュール３３０は、決定信号を決定モジュール３２０から受信し、これらの決定信号に含まれる第２の部分及び第３の部分に基づいて、乗客の端末の識別情報を符号化した第１の部分を含む識別情報信号を生成及び／又は確認することができる。これらの識別情報信号は、車両ディスプレイデバイスの端末情報を乗客の端末に送信するように通信モジュール３１０に指示するコマンドを符号化した第２の部分を更に含むことができる。端末識別情報モジュール３３０は、識別情報信号を通信モジュール３１０に送信することができる。幾つかの実施形態では、識別情報信号は、無線信号とすることができる。
【００９２】
ステップ４０８において、通信モジュール３１０は、車両ディスプレイデバイスに関連付けられた端末情報を乗客の端末に送信することができる。通信モジュール３１０は、車両ディスプレイデバイスに関連付けられた情報を、携帯電話メッセージ、電子メール、ソーシャルネットワークサービスからのインスタント通信メッセージ等、又はそれらの任意の組み合わせとして送信することができる。
【００９３】
幾つかの実施形態では、通信モジュール３１０は、接続信号を乗客の端末に送信することができる。これらの接続信号は、乗客の端末の識別情報を符号化した第１の部分と、車両ディスプレイデバイスの端末情報を符号化した第２の部分と、車両ディスプレイデバイスの端末情報に基づいて車両ディスプレイデバイスとの接続を確立するプロセスを開始するように乗客の端末に指示するコマンドを符号化した第３の部分とを含む接続構造化データを含むことができる。幾つかの実施形態では、接続信号は、無線信号とすることができる。
【００９４】
幾つかの実施形態では、乗客の端末が車両ディスプレイデバイスの端末情報を受信すると同時に、当該乗客の端末は、車両ディスプレイデバイスとの接続を自動的に確立するプロセスを開始することができる。幾つかの実施形態では、乗客の端末は、車両ディスプレイデバイスの端末情報を処理エンジン１１２から受信すると、車両ディスプレイデバイスと乗客の端末との間の接続を確立することをサービス要求者に想起させる、処理エンジン１１２からの通知に基づいて、車両ディスプレイデバイスとの接続を確立するプロセスを開始することができる。
【００９５】
ステップ４１０において、通信モジュール３１０は、端末情報に基づいて第１の端末と第３の端末との間の接続を確立することをサービス要求者に想起させる通知を第３の端末に送信することができる。この通知は、携帯電話メッセージ、電子メール、ソーシャルネットワークサービスからのポップアップメッセージ等、又はそれらの任意の組み合わせを含むことができる。
【００９６】
幾つかの実施形態では、通信モジュール３１０は、ステップ４０８の後にステップ４１０を実行してもよい。幾つかの実施形態では、通信モジュール３１０は、ステップ４１０及びステップ４０８を同時に実行してもよい。
【００９７】
当然ながら、上記説明は、単に例示の目的で提供されているにすぎず、本開示の範囲を限定することを意図するものではない。当業者であれば、本開示の教示の下で複数の変形及び変更を行うことができる。ただし、それらの変形及び変更は、本開示の範囲を逸脱するものではない。例えば、１つ以上の他の任意選択のステップ（例えば、記憶するステップ）が、例示的なプロセス／方法４００のいずれかの箇所に追加されてもよい。別の例として、車両ディスプレイデバイスと乗客の端末との間の接続を確立するプロセスが乗客の端末において自動的に開始された状況では、ステップ４１０は任意選択であってもよい。
【００９８】
図５Ａは、本開示の幾つかの実施形態に係る一例示的な第３の端末を示す概略ブロック図である。幾つかの実施形態では、第３の端末は、図１の要求者端末１３０とすることができる。図５Ａにおける以下の説明は、乗客端末を第３の端末の一例として取り上げる。第３の端末は、Ｉ／Ｏモジュール５１０と、接続確立モジュール５２０とを備えることができる。
【００９９】
Ｉ／Ｏモジュール５１０は、車両ディスプレイデバイス、ドライバーの端末又は乗客の端末に関連した情報を受信及び／又は送信するように構成することができる。例えば、Ｉ／Ｏモジュール５１０は、車両ディスプレイデバイス（例えば、車両端末１７０）の端末情報をオンラインオンデマンド輸送サービスプラットフォームのコンピューターサーバー（例えば、サーバー１１０内の処理エンジン１１２）から受信することができる。別の例として、Ｉ／Ｏモジュール５１０は、車両ディスプレイデバイスの端末情報に基づいて車両ディスプレイデバイスを乗客の端末（例えば、要求者端末１３０）と接続する要求を車両ディスプレイデバイスに送信することができる。更に別の例として、Ｉ／Ｏモジュール５１０は、車両ディスプレイデバイスを乗客の端末と接続することに同意する応答を車両ディスプレイデバイスから受信することができる。更なる例として、Ｉ／Ｏモジュール５１０は、乗客の端末におけるマルチメディアコンテンツを車両ディスプレイデバイスに送信することができる。
【０１００】
接続確立モジュール５２０は、車両ディスプレイデバイスの端末情報に基づいて車両ディスプレイデバイスと乗客の端末との間の接続を確立するプロセスを開始するように構成することができる。幾つかの実施形態では、接続確立モジュール５２０は、Ｉ／Ｏモジュール５１０が車両ディスプレイデバイスの端末情報を受信すると同時に、車両ディスプレイデバイスとの接続を自動的に確立するプロセスを開始することができる。幾つかの実施形態では、Ｉ／Ｏモジュール５１０が、車両ディスプレイデバイスの端末情報を処理エンジン１１２から受信すると、接続確立モジュール５２０は、ユーザー（例えば、サービス要求者）によって入力された、車両ディスプレイデバイスとの接続を確立するプロセスを開始するコマンドを受信することによって、車両ディスプレイデバイスとの接続を確立するプロセスを開始することができる。
【０１０１】
要求者端末１３０（例えば、乗客の端末）内のモジュールは、有線接続又は無線接続を介して互いに接続又は通信することができる。有線接続は、金属ケーブル、光ケーブル、ハイブリッドケーブル等、又はそれらの任意の組み合わせを含むことができる。無線接続は、ローカルエリアネットワーク（ＬＡＮ）、ワイドエリアネットワーク（ＷＡＮ）、Ｂｌｕｅｔｏｏｔｈ（登録商標）、ＺｉｇＢｅｅ、近接場通信（ＮＦＣ）等、又はそれらの任意の組み合わせを含むことができる。モジュールのうちの２つ以上を単一のモジュールとして組み合わせることができ、モジュールのうちの任意の１つを２つ以上のユニットに分割することができる。幾つかの実施形態では、要求者端末１３０は、当該要求者端末１３０内のモジュールに関連付けられたデータ及び／又は命令を記憶するように構成することができる記憶モジュール（図５Ａに図示せず）を備えることができる。
【０１０２】
図５Ｂは、本開示の幾つかの実施形態に係る、２つの端末の間の接続を確立する一例示的なプロセス／方法５００を示すフローチャートである。プロセス及び／又は方法５００は、要求者端末１３０（例えば、乗客の端末）がサーバー１１０において実行することができる。例えば、要求者端末１３０は、図２におけるコンピューティングデバイス２００において実施することができる。プロセス及び／又は方法５００は、記憶装置ＲＯＭ２３０又は記憶装置ＲＡＭ２４０に記憶された一組の命令（例えば、アプリケーション）として実施することができる。プロセッサ２２０は、この一組の命令を実行することができ、それに応じて、プロセス及び／又は方法５００を実行するように指示を受けることができる。図示したプロセス／方法の以下に提示する動作は、例示であることが意図されている。幾つかの実施形態では、このプロセス／方法は、記載していない１つ以上の追加の動作を伴って遂行することができ、及び／又は論述する動作のうちの１つ以上を伴わずに遂行することができる。加えて、図５Ｂに図示するとともに以下に説明するようなプロセスの動作の順序は、限定することを意図するものではない。
【０１０３】
ステップ５０２において、Ｉ／Ｏモジュール５１０は、オンラインオンデマンド輸送サービスプラットフォームのコンピューターサーバー（例えば、サーバー１１０内の処理エンジン１１２）から車両ディスプレイデバイスの端末情報を受信することができる。
【０１０４】
幾つかの実施形態では、Ｉ／Ｏモジュール５１０は、コンピューターサーバー（例えば、サーバー１１０内の処理エンジン１１２）から接続信号を受信することができる。これらの接続信号は、車両ディスプレイデバイスに関連付けられた端末情報を符号化した接続構造化データを含むことができる。この接続構造化データは、乗客の端末の識別情報を符号化した第１の部分と、車両ディスプレイデバイスの端末情報を符号化した第２の部分と、車両ディスプレイデバイスとの接続を確立するプロセスを開始するように乗客の端末に指示するコマンドを符号化した第３の部分とを含むことができる。
【０１０５】
ステップ５０４において、接続確立モジュール５２０は、車両ディスプレイデバイスの端末情報に基づいて車両ディスプレイデバイスと乗客の端末との間の接続を確立するプロセスを開始することができる。幾つかの実施形態では、接続確立モジュール５２０は、Ｉ／Ｏモジュール５１０が車両ディスプレイデバイスの端末情報を受信すると同時に、車両ディスプレイデバイスとの接続を自動的に確立するプロセスを開始することができる。幾つかの実施形態では、Ｉ／Ｏモジュール５１０が、車両ディスプレイデバイスの端末情報を処理エンジン１１２から受信すると、接続確立モジュール５２０は、ユーザー（例えば、サービス要求者）によって入力された、車両ディスプレイデバイスとの接続を確立するプロセスを開始するコマンドを受信することによって、車両ディスプレイデバイスとの接続を確立するプロセスを開始することができる。例えば、乗客の端末と車両ディスプレイデバイスとの間の接続を確立することをサービス要求者に想起させる通知を受信した後、乗客の端末は、プロセスを開始する「ＹＥＳ（はい）」のボタンと、プロセスの開始を拒否する「ＮＯ（いいえ）」のボタンとを表示することができる。サービス要求者は、「ＹＥＳ」のボタンを押して、車両ディスプレイデバイスとの接続を確立するプロセスを開始するコマンドを入力することができる。接続確立モジュール５２０は、このコマンドに応答して、車両ディスプレイデバイスとの接続を確立するプロセスを開始することができる。
【０１０６】
ステップ５０６において、Ｉ／Ｏモジュール５１０は、この接続を介して第３の端末におけるマルチメディアコンテンツを第１の端末に送信することができる。
【０１０７】
マルチメディアコンテンツは、テキスト、画像、ビデオストリーム、オーディオトラック、グラフィックス等、又はそれらの組み合わせを含むことができる。幾つかの実施形態では、車両ディスプレイデバイスによって受信された乗客の端末におけるマルチメディアコンテンツは、車両ディスプレイデバイスにおいて再生することができる。
【０１０８】
幾つかの実施形態では、Ｉ／Ｏモジュール５１０は、１つ以上の記憶媒体にアクセスし、そこに記憶されたマルチメディアコンテンツを読み出し、それらのマルチメディアコンテンツを構造化データに符号化し、この構造化データを符号化した電子信号を、上記接続を介して車両ディスプレイデバイスに送信することができる。幾つかの実施形態では、乗客の端末と車両ディスプレイデバイスとの間の接続は、乗客の端末から車両ディスプレイデバイスにマルチメディアデータを一方向に送信することに限られる。代替的に、乗客の端末と車両ディスプレイデバイスとの間の接続は、乗客の端末と車両ディスプレイデバイスとの間でマルチメディアデータを双方向に送信することであってもよい。
【０１０９】
当然ながら、上記説明は、例示を目的として提供されており、本開示の範囲を限定することを意図するものではない。当業者であれば、本開示の教示の下で複数の変形及び変更を行うことができる。ただし、それらの変形及び変更は、本開示の範囲から逸脱するものではない。例えば、１つ以上の他の任意選択のステップ（例えば、記憶するステップ）が、例示的なプロセス／方法５００のいずれかの箇所に追加されてもよい。
【０１１０】
図６は、本開示の幾つかの実施形態に係る、２つの端末の間の接続を確立するプロセスを開始する一例示的なプロセス／方法６００を示すフローチャートである。プロセス及び／又は方法６００は、要求者端末１３０（例えば、乗客の端末）がサーバー１１０において実行することができる。例えば、要求者端末１３０は、図２におけるコンピューティングデバイス２００において実施することができる。プロセス及び／又は方法６００は、記憶装置ＲＯＭ２３０又は記憶装置ＲＡＭ２４０に記憶された一組の命令（例えば、アプリケーション）として実施することができる。プロセッサ２２０は、この一組の命令を実行することができ、それに応じて、プロセス及び／又は方法６００を実行するように指示を受けることができる。図示したプロセス／方法の以下に提示する動作は、例示であることが意図されている。幾つかの実施形態では、このプロセス／方法は、記載していない１つ以上の追加の動作を伴って遂行することができ、及び／又は論述する動作のうちの１つ以上を伴わずに遂行することができる。加えて、図６に図示するとともに以下に説明するようなプロセス／方法の動作の順序は、限定することを意図するものではない。幾つかの実施形態では、プロセス及び／又は方法６００は、プロセス及び／又は方法５００におけるステップ５０４におけるプロセスを開始することができる。
【０１１１】
ステップ６０２において、Ｉ／Ｏモジュール５１０は、第１の端末の端末情報に基づいて、第１の端末を第３の端末と接続する要求を第１の端末に送信することができる。
【０１１２】
幾つかの実施形態では、車両ディスプレイデバイスを乗客の端末と接続する要求は、車両ディスプレイデバイスを乗客の端末と接続することをドライバーに想起させる通知とすることができる。
【０１１３】
幾つかの実施形態では、Ｉ／Ｏモジュール５１０は、車両ディスプレイデバイスの端末情報に基づいて車両ディスプレイデバイスを乗客の端末と接続する要求を符号化した第１の部分と、車両ディスプレイデバイスの端末情報を符号化した第２の部分とを含む要求信号を車両ディスプレイデバイスに送信することができる。
【０１１４】
ステップ６０４において、Ｉ／Ｏモジュール５１０は、第１の端末を第３の端末と接続することに同意する応答を第１の端末から受信することができる。
【０１１５】
幾つかの実施形態では、車両ディスプレイデバイスを乗客の端末と接続する要求を受信した後に、車両ディスプレイデバイスは、ユーザー（例えば、ドライバー）によって入力されるコマンドに基づいて車両ディスプレイデバイスを乗客の端末と接続することに同意する応答を生成することができる。例えば、車両ディスプレイデバイスが、当該車両ディスプレイデバイスを乗客の端末と接続する要求を受信した後に、車両ディスプレイデバイス及び／又はドライバーの端末は、乗客の端末との接続に同意する「ＹＥＳ」のボタンと、乗客の端末との接続を拒否する「ＮＯ」のボタンとを表示することができる。ドライバーは、「ＹＥＳ」のボタンを押して、乗客の端末との接続に同意するコマンドを入力することができる。車両ディスプレイデバイスは、このコマンドに応答して、乗客の端末との接続に同意する応答を生成することができる。幾つかの実施形態では、車両ディスプレイデバイスを乗客の端末と接続する要求を受信した後に、車両ディスプレイデバイスは、当該車両ディスプレイデバイスを乗客の端末に自動的に接続することに同意する応答を生成することができる。
【０１１６】
幾つかの実施形態では、Ｉ／Ｏモジュール５１０は、車両ディスプレイデバイスを乗客の端末と接続することに同意する応答を符号化した第１の部分と、車両ディスプレイデバイスと乗客の端末との間の接続を確立するように接続確立モジュール５２０に指示するコマンドを符号化した第２の部分とを含む応答信号を車両ディスプレイデバイスから受信することができる。
【０１１７】
ステップ６０６において、接続確立モジュール５２０は、上記応答に基づいて第１の端末と第３の端末との間の接続を確立することができる。
【０１１８】
当然ながら、上記説明は、単に例示の目的で提供されているにすぎず、本開示の範囲を限定することを意図するものではない。当業者であれば、本開示の教示の下で複数の変形及び変更を行うことができる。ただし、それらの変形及び変更は、本開示の範囲を逸脱するものではない。例えば、１つ以上の他の任意選択のステップ（例えば、記憶するステップ）が、例示的なプロセス／方法６００のいずれかの箇所に追加されてもよい。
【０１１９】
基本概念を上記のように説明してきたが、この詳細な開示を読んだ後、前述の詳細な開示は、単に例としての提示を意図したものにすぎず、限定ではないことが当業者にはかなり明らかになり得る。本明細書において明示的に述べられていないが、様々な改変、改良、及び変更を行うことができ、これらは当業者に意図されている。これらの改変、改良、及び変更は、本開示によって示唆されることが意図されており、本開示の例示的な実施形態の趣旨及び範囲内にある。
【０１２０】
その上、幾つかの特定の術語が、本開示の実施形態を説明するのに用いられている。例えば、「１つの実施形態」、「一実施形態」、及び／又は「幾つかの実施形態」という用語は、実施形態について説明した特定の特徴、構造又は特性が本開示の少なくとも１つの実施形態に含まれることを意味する。したがって、本明細書の様々な部分における「一実施形態」又は「１つの実施形態」又は「代替の実施形態」への言及が２つ以上あっても、これは、全てが必ずしも同じ実施形態を指しているとは限らないことを強調するとともに、そのことを理解されたい。さらに、特定の特徴、構造又は特性は、本開示の１つ以上の実施形態において適宜組み合わせることができる。
【０１２１】
さらに、本開示の態様は、任意の新規で有用なプロセス、機械、生産物、若しくは組成物、又はそれらの任意の新規で有用な改良形態を含む任意の複数の特許可能なクラス又はコンテキストのうちのいずれにおいても本明細書で図示及び説明することができることが当業者によって理解されるであろう。したがって、本開示の態様は、全体をハードウェアで実施することもできるし、全体をソフトウェア（ファームウェア、常駐ソフトウェア、マイクロコード等を含む）で実施することもできるし、本明細書において全て「ユニット」、「モジュール」又は「システム」と一般に呼ぶことができるソフトウェア及びハードウェアを組み合わせた実施態様で実施することもできる。さらに、本開示の態様は、具現化されたコンピューター可読プログラムコードを有する１つ以上のコンピューター可読媒体に具現化されたコンピュータープログラム製品の形態を取ることができる。
【０１２２】
コンピューター可読信号媒体は、例えば、ベースバンド内に又は搬送波の一部分として具現化されたコンピューター可読プログラムコードを有する伝播データ信号を含むことができる。そのような伝播信号は、電磁気、光等、又はそれらの任意の適した組み合わせを含む様々な形態のうちの任意のものを取ることができる。コンピューター可読信号媒体は、コンピューター可読記憶媒体でない任意のコンピューター可読媒体であって、命令実行システム、命令実行装置、若しくは命令実行デバイスによって用いられるか又はこれらに関して用いられるプログラムを通信、伝播、又は搬送することができる任意のコンピューター可読媒体であってもよい。コンピューター可読信号媒体上に具現化されたプログラムコードは、無線、ワイヤーライン、光ファイバーケーブル、ＲＦ等、又はそれらの任意の適した組み合わせを含む任意の適切な媒体を用いて送信することができる。
【０１２３】
本開示の態様の動作を実行するコンピュータープログラムコードは、Ｊａｖａ（登録商標）、Ｓｃａｌａ、Ｓｍａｌｌｔａｌｋ、Ｅｉｆｆｅｌ、ＪＡＤＥ、Ｅｍｅｒａｌｄ、Ｃ＋＋、Ｃ＃、ＶＢ．ＮＥＴ、Ｐｙｔｈｏｎ等のオブジェクト指向型プログラミング言語、「Ｃ」プログラミング言語、Ｖｉｓｕａｌ  Ｂａｓｉｃ、Ｆｏｒｔｒａｎ２００３、Ｐｅｒｌ、ＣＯＢＯＬ２００２、ＰＨＰ、ＡＢＡＰ等の従来の手続型プログラミング言語、Ｐｙｔｈｏｎ、Ｒｕｂｙ及びＧｒｏｏｖｙ等の動的プログラミング言語、又は他のプログラミング言語を含む１つ以上のプログラミング言語の任意の組み合わせで記述することができる。プログラムコードは、スタンドアローンソフトウェアパッケージとして、全体をユーザーのコンピューター上で実行することもできるし、一部をユーザーのコンピューター上で実行することもできるし、一部をユーザーのコンピューター上で、及び一部をリモートコンピューター上で実行することもできるし、全体をリモートコンピューター又はサーバー上で実行することもできる。後半のシナリオでは、リモートコンピューターは、ローカルエリアネットワーク（ＬＡＮ）又はワイドエリアネットワーク（ＷＡＮ）を含む任意のタイプのネットワークを通じてユーザーのコンピューターに接続することができる。すなわち、この接続は、（例えば、インターネットサービスプロバイダーを用いてインターネットを通じて）外部コンピューターに対して行うこともできるし、クラウドコンピューティング環境において行うこともできるし、サービス型ソフトウェア（ＳａａＳ）等のサービスとして提供することもできる。
【０１２４】
さらに、処理要素若しくは処理シーケンスの列挙した順序、又はそれらの数字、文字、若しくは他の名称の使用は、請求項において指定することができる場合を除いて、請求項に記載のプロセス及び方法をいずれの順序にも限定することを意図するものではない。上記開示は、様々な例を通じて、本開示の様々の有用な実施形態であると現在考えられているものを論述しているが、そのような詳細は、その目的のためのものにすぎず、添付の特許請求の範囲は、開示された実施形態に限定されるものではなく、逆に、開示された実施形態の趣旨及び範囲内にある変更及び均等なアレンジを包含することが意図されていることが理解されるであろう。例えば、上述した様々な構成要素の実施態様は、ハードウェアデバイスに具現化することができるが、ソフトウェアのみのソリューション、例えば、既存のサーバー又はモバイルデバイス上へのインストールとして実施することもできる。
【０１２５】
同様に、本開示の実施形態の上記説明では、様々な実施形態のうちの１つ以上の理解に役立つ本開示のストリームライン化を目的として、様々な特徴がともに単一の実施形態、その実施形態の図、又はその実施形態の説明にグループ化されることがあることが理解されるであろう。ただし、この開示方法は、請求項に記載の主題が、各請求項に明示列挙されたものよりも多くの特徴を必要とするという意図を反映するものと解釈されるべきでない。逆に、請求項に記載の主題は、上記開示された単一の実施形態の全ての特徴よりも少ない特徴に依拠することができる。
【図１】
2019509646.tif 000003
【図２】
2019509646.tif 000004
【図３】
2019509646.tif 000005
【図４】
2019509646.tif 000006
【図５Ａ】
2019509646.tif 000007
【図５Ｂ】
2019509646.tif 000008
【図６】
2019509646.tif 000009
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
バスと、
２つの異なる端末が両端末間で接続を確立することを支援する一組の命令を含む、前記バスに電子的に接続された１つ以上の記憶媒体と、
前記バスを介して前記１つ以上の記憶媒体と通信するように構成された論理回路と、
を備え、
前記論理回路は、前記一組の命令を実行すると、
第１の電子信号を第２の端末から受信することであって、該第１の電子信号は、前記第２の端末に関連付けられた第１の端末の端末情報を符号化した第１の構造化データを含むことと、
第３の端末の識別情報を符号化した第２の構造化データを含む第２の電子信号を受信することと、
第３の電子信号を前記第３の端末に送信することであって、該第３の電子信号は、前記第１の端末の前記端末情報を符号化した第３の構造化データを含むことと、
を行うように指示される、オンライン輸送サービスプラットフォームを動作させるように構成される電子デバイスのシステム。
【請求項２】
前記第１の端末は車両に関連付けられ、前記第２の端末は輸送サービス提供者に関連付けられ、前記第３の端末は輸送サービス要求者に関連付けられ、
前記論理回路は、前記サービス提供者が輸送サービスを前記サービス要求者に提供していると判断するように更に指示される、請求項１に記載のシステム。
【請求項３】
前記第１の構造化データは、
前記第１の端末の識別情報を符号化した第１の部分と、
前記第１の端末の接続情報を符号化した第２の部分と、
を含み、
前記第３の構造化データは、
前記第３の端末の識別情報を符号化した第１の部分と、
前記端末情報を符号化した第２の部分と、
を含む、請求項１に記載のシステム。
【請求項４】
前記接続情報は、前記第１の端末が前記第３の端末からの接続要求を受理することを可能にする認可コードを含む、請求項３に記載のシステム。
【請求項５】
前記第３の構造化データは、前記第１の端末の前記端末情報に基づいて前記第１の端末と通信接続を確立するプロセスを開始するように前記第３の端末に指示するコマンドを符号化した第３の部分を含む、請求項１に記載のシステム。
【請求項６】
前記第３の端末と前記第１の端末との間の前記通信接続は、前記第３の端末から前記第１の端末にマルチメディアデータを一方向に送信することに限られる、請求項５に記載のシステム。
【請求項７】
前記第１の端末は、前記第２の端末に含まれる、請求項１に記載のシステム。
【請求項８】
１つ以上の処理部と１つ以上の記憶媒体とを有するコンピューティングデバイスにおいて実施される方法であって、
前記１つ以上の処理部によって、第１の電子信号を第２の端末から受信することであって、該第１の電子信号は、前記第２の端末に関連付けられた第１の端末の端末情報を符号化した第１の構造化データを含むことと、
前記１つ以上の処理部によって、第３の端末の識別情報を符号化した第２の構造化データを含む第２の電子信号を受信することと、
前記１つ以上の処理部によって、第３の電子信号を前記第３の端末に送信することであって、該第３の電子信号は、前記第１の端末の前記端末情報を符号化した第３の構造化データを含むことと、
を含む、方法。
【請求項９】
前記第１の端末は車両に関連付けられ、前記第２の端末は輸送サービス提供者に関連付けられ、前記第３の端末は輸送サービス要求者に関連付けられ、
前記方法は、
前記１つ以上の処理部によって、前記サービス提供者が輸送サービスを前記サービス要求者に提供していると判断すること、
を更に含む、請求項８に記載の方法。
【請求項１０】
前記第１の構造化データは、
前記第１の端末の識別情報を符号化した第１の部分と、
前記第１の端末の接続情報を符号化した第２の部分と、
を含み、
前記第３の構造化データは、
前記第３の端末の識別情報を符号化した第１の部分と、
前記端末情報を符号化した第２の部分と、
を含む、請求項８に記載の方法。
【請求項１１】
前記接続情報は、前記第１の端末が前記第３の端末からの接続要求を受理することを可能にする認可コードを含む、請求項１０に記載の方法。
【請求項１２】
前記第３の構造化データは、前記第１の端末の接続情報に基づいて前記第１の端末との通信接続を確立するプロセスを開始するように前記第３の端末に指示するコマンドを符号化した第３の部分を含む、請求項８に記載の方法。
【請求項１３】
前記第３の端末と前記第１の端末との間の前記通信接続は、前記第３の端末から前記第１の端末にマルチメディアデータを一方向に送信することに限られる、請求項１２に記載の方法。
【請求項１４】
電子端末であって、
オンデマンド輸送プラットフォームに関連付けられた別の端末デバイスに接続する一組の命令を含む１つ以上の記憶媒体と、
前記１つ以上の記憶媒体と通信するように構成された１つ以上の処理部と、
を備え、
前記１つ以上の処理部は、前記一組の命令を実行すると、
第１の電子信号をコンピューターサーバーから受信することであって、該第１の電子信号は、ターゲット端末に関連付けられた端末情報を符号化した第１の構造化データを含むことと、
前記ターゲット端末の前記端末情報に基づいて前記ターゲット端末と該電子端末との間の通信接続を開始する第２の電子信号を生成することと、
を行うように指示される、電子端末。
【請求項１５】
前記コンピューターサーバーは、オンラインオンデマンド輸送サービスプラットフォームに関連付けられ、
前記ターゲット端末は、輸送サービスを前記電子端末のユーザーに提供している輸送サービス提供者の端末に関連付けられている、請求項１４に記載の電子端末。
【請求項１６】
前記第１の構造化データは、
前記ターゲット端末の識別情報を符号化した第１の部分と、
前記ターゲット端末の接続情報を符号化した第２の部分と、
を含む、請求項１４に記載の電子端末。
【請求項１７】
前記接続情報は、前記ターゲット端末が前記電子端末からの接続要求を受理することを可能にする認可コードを含む、請求項１６に記載の電子端末。
【請求項１８】
前記１つ以上の処理部は、
前記１つ以上の記憶媒体にアクセスして、該記憶媒体に記憶されたマルチメディアコンテンツを読み出すことと、
前記マルチメディアコンテンツを第２の構造化データに符号化することと、
前記第２の構造化データを符号化した第３の電子信号を、前記通信接続を介して前記ターゲット端末に送信することと、
を行うように更に指示される、請求項１４に記載の電子端末。
【請求項１９】
前記電子端末と前記ターゲット端末との間の前記通信接続は、前記電子端末から前記ターゲット端末にマルチメディアデータを一方向に送信することに限られる、請求項１４に記載の電子端末。
【請求項２０】
前記ターゲット端末と前記電子端末との間の前記通信接続を開始するために、前記１つ以上の処理部は、
前記ターゲット端末の前記端末情報に基づいて前記ターゲット端末を前記電子端末と接続する要求を符号化した第４の電子信号を前記ターゲット端末に送信することと、
前記ターゲット端末を前記電子端末と接続することに同意する応答を符号化した第５の電子信号を前記ターゲット端末から受信することと、
前記応答に基づいて前記ターゲット端末と前記電子端末との間の前記通信接続を確立することと、
を行うように指示される、請求項１４に記載の電子端末。
【国際調査報告】
2019509646.tif 000010
2019509646.tif 000011